(57)【要約】【課題】  シーリング材等を用いなくても、確実に止水性を確保でき、貫通孔の内面に凹凸を有する場合でも、止水性を維持することができ、さらに配管を挿通した状態で、配管や貫通部材がずれたりすることがない配管の壁部貫通構造を提供する。【解決手段】  貫通孔５には、壁部貫通部材７が設けられる。壁部貫通部材７は、本体９と止水部１１等から構成される。本体９は、配管６が挿通される部位であり、配管６に対応した筒状の部材である。本体９の外周面側には止水部１１が周方向に渡って設けられる。止水部１１は、弾性部材１３と、水膨張性不織布１５で構成される。弾性部材１３は、本体９の外周面と貫通孔５の内周面（との間にまたがるように形成される。同様に、水膨張性不織布１５は弾性部材１３の内側に本体９と貫通孔５の内周面とにまたがって設けられる。【選択図】図１
2012037036.tif 000002
【特許請求の範囲】
【請求項１】
配管の壁部貫通構造であって、
壁部に形成された貫通孔と、
前記貫通孔に設けられた壁部貫通部材と、
前記壁部貫通部材を貫通する配管と、
を具備し、
前記壁部貫通部材は、前記配管を保持する本体と、前記本体の外部に形成される止水部とを有し、
前記止水部は、前記本体と前記壁部との間に渡って形成される第１の止水部材と、少なくとも前記壁部に接する第２の止水部材とを有し、
前記第１の止水部材は弾性部材であり、前記第２の止水部材は水膨張性部材であることを特徴とする配管の壁部貫通構造。
【請求項２】
前記本体は、配管の敷設方向と略垂直な方向に突出するフランジ部を有し、前記止水部は、前記フランジ部と前記壁部の壁面との間に形成され、前記第２の止水部材は、少なくとも前記壁面と接触することを特徴とする請求項１記載の配管の壁部貫通構造。
【請求項３】
前記本体は２分割されており、前記本体は、前記壁部の内外から前記壁部をそれぞれの前記本体に形成されたフランジ部で挟み込むように取り付けられ、前記壁部の外側の前記フランジ部と前記壁面との間に、前記止水部が設けられることを特徴とする請求項２記載の配管の壁部貫通構造。
【請求項４】
前記止水部は、前記本体と前記貫通孔の内面との間に形成され、前記第２の止水部材は、少なくとも前記貫通孔の内面と接触することを特徴とする請求項１記載の配管の壁部貫通構造。
【請求項５】
前記第１の止水部材と前記第２の止水部材には、互いに対応する段部または凹凸部が形成され、前記止水部は、前記第１の止水部材と前記第２の止水部材とが互いに組み合わさることで構成されることを特徴とする請求項１から請求項４のいずれかに記載の配管の壁部貫通構造。
【請求項６】
前記第１の止水部材には前記壁部と前記本体との略中間部に凹部が形成され、前記第２の止水部材には前記凹部に対応する凸部が形成され、前記凸部が前記凹部に嵌り込むことを特徴とする請求項５記載の配管の壁部貫通構造。
【請求項７】
前記止水部はさらに第３の止水部材を有し、前記第３の止水部材は発泡性の弾性部材であり、前記第３の止水部材は、前記第１の止水部材と前記第２の止水部材との間に設けられることを特徴とする請求項１から請求項４のいずれかに記載の配管の壁部貫通構造。
【発明の詳細な説明】
【技術分野】
【０００１】
本発明は、例えば屋内と屋外とを区画するための壁部に対し、配管が貫通して配設される、配管の壁部貫通構造等に関するものである。
【背景技術】
【０００２】
従来、例えば空調ダクトなどの配管を屋内に引き込む際には、屋外と屋内とを仕切る壁部の一部に配管を貫通させて配設させる必要がある。屋外と屋内との間の壁部を貫通させる場合には、特に貫通部からの水の浸入を防止する必要がある。
【０００３】
このような外壁に対する配管貫通部の止水構造としては、外壁に貫通孔のスリーブとして打ちこまれた管部材に、短管が外壁の外部側に突出するように嵌入され、短管と外壁との間がシール部材によりシールされ、さらにラッキング材の基端部が短管の外周に配設されるとともに、このラッキング材と外壁との間がシール材によりシールされる配管貫通部の止水構造がある（特許文献１）。
【先行技術文献】
【特許文献】
【０００４】
【特許文献１】特開２００１−４１３５７号公報
【発明の概要】
【発明が解決しようとする課題】
【０００５】
しかし、特許文献１のような止水構造は、シーリング材等のシール部材を設ける必要があるが、この乾燥には時間を要し、シール部材を施工する作業者のスキルによって止水性能が左右される。また、メンテナンス時にシール部材を除去する必要がある。
【０００６】
しかし、シール部材として、一般のＯリング等を用いたのでは、確実な止水性能を得ることが困難である。これは、貫通孔の内面は、貫通孔の施工時に凹凸が形成されるため、凹凸に密着させることが困難であるためである。
【０００７】
一方、凹凸形状に追従するような軟質のシール部材では、配管が確実に固定されず、配管を貫通孔の中心位置に位置決めすることが困難である。すなわち、貫通孔に対して配管が容易に動いてしまい、これによって隙間が生じる可能性がある。
【０００８】
本発明は、このような問題に鑑みてなされたもので、シーリング材等を用いなくても、確実に止水性を確保でき、貫通孔の内面に凹凸形状が形成される場合でも、止水性を維持することができ、さらに配管を挿通した状態で、配管や貫通部材がずれたりすることがない配管の壁部貫通構造を提供することを目的とする。
【課題を解決するための手段】
【０００９】
前述した目的を達成するため、第１の発明は、配管の壁部貫通構造であって、壁部に形成された貫通孔と、前記貫通孔に設けられた壁部貫通部材と、前記壁部貫通部材を貫通する配管と、を具備し、前記壁部貫通部材は、前記配管を保持する本体と、前記本体の外部に形成される止水部とを有し、前記止水部は、前記本体と前記壁部との間に渡って形成される第１の止水部材と、少なくとも前記壁部に接する第２の止水部材とを有し、前記第１の止水部材は弾性部材であり、前記第２の止水部材は水膨張性部材であることを特徴とする配管の壁部貫通構造である。
【００１０】
前記本体は、配管の敷設方向と略垂直な方向に突出するフランジ部を有し、前記止水部は、前記フランジ部と前記壁部の壁面との間に形成され、前記第２の止水部材は、前記壁面と接触してもよい。
【００１１】
この場合、前記本体は２分割されており、前記本体は、前記壁部の内外から前記壁部をそれぞれのフランジ部で挟み込むように取り付けられ、前記壁部の外側の前記フランジ部と前記壁面との間に、前記止水部が設けられることが望ましい。
【００１２】
また、前記止水部は、前記本体と前記貫通孔の内面との間に形成され、前記第２の止水部材は、前記貫通孔の内面と接触してもよい。
【００１３】
前記第１の止水部材と前記第２の止水部材には、互いに対応する段部または凹凸部が形成され、前記止水部は、前記第１の止水部材と前記第２の止水部材とが互いに組み合わさることで構成されてもよい。
【００１４】
この場合、前記第１の止水部材には前記壁部と前記本体との略中間部に凹部が形成され、前記第２の止水部材には前記凹部に対応する凸部が形成され、前記凸部が前記凹部に嵌り込むことが望ましい。
【００１５】
前記止水部はさらに第３の止水部材を有し、前記第３の止水部材は発泡性の弾性部材であり、前記第３の止水部材は、前記第１の止水部材と前記第２の止水部材との間に設けられてもよい。
【００１６】
本発明によれば、配管を保持するための壁部貫通部材が用いられ、壁部貫通部材の外部に止水部が形成されるため、壁部貫通部材の本体と壁部との間は、止水部によって止水性を得ることができる。この際、止水部が、弾性部材と水膨張性部材とで構成されるため、弾性部材によって止水性の確保と壁部貫通部材および配管の保持が可能であり、水膨張性部材によって貫通孔等の凹凸に密着して、確実に止水性を確保することができる。
【００１７】
また、本体の外周の径方向に突出するフランジ部を形成し、フランジ部のフランジ面と壁部の壁面との間に止水部を形成することで、貫通孔の内周面よりも凹凸の少ない面に対して止水部を形成することができる。また、本体がフランジ部によって壁部に固定されるため、本体が貫通孔から抜け落ちることがない。
【００１８】
特に、本体を２分割しておき、内側の本体と外側の本体を壁部の内外方向からそれぞれに形成されたフランジ部で壁部を挟み込むように形成することで、より確実に本体を壁部に固定することができる。
【００１９】
また、貫通孔の内周面と本体との間に止水部を形成した場合であれば、壁面内周面と本体との間で止水性を得ることができ、この際、弾性部材が貫通孔に対する本体の位置決めに寄与するとともに、水膨張性部材が貫通孔内周面の凹凸に追従して密着し、確実に止水性を確保することができる。
【００２０】
また、弾性部材と水膨張性部材との接触部において、段部や凹凸部によって互いに組み合わせることができるように構成することで、弾性部材と水膨張性部材とが確実に密着し、より確実に止水性を確保することができる。
【００２１】
この場合に、弾性部材の略中央（壁部と本体との略中間）に凹部を形成し、凹部に嵌るように水膨張性部材に凸部を形成することで、水膨張性部材に水が吸収して膨張する際に、凹部を両側に開く方向に力が加わり、より確実に弾性部材が壁部に対して押し付けられる。したがって、本体が確実に壁部に固定されるとともに、高い止水性を確保することができる。
【００２２】
また、さらに発泡性弾性部材を用いることで、弾性部材で位置決め及び保持機能および１次止水特性を得ることができ、より柔軟な発泡性弾性部材により弾性部材よりも凹凸に追従して２次止水特性を確保することができ、さらに、水膨張性部材によって、２次止水特性を通過した水のみに対して３次止水特性を発揮することができる。このため、確実に止水特性を確保することができる。
【発明の効果】
【００２３】
本発明によれば、シーリング材等を用いなくても、確実に止水性を確保でき、貫通孔の内面に凹凸を有する場合でも、止水性を維持することができ、さらに配管を挿通した状態で、配管や貫通部材がずれたりすることがない配管の壁部貫通構造を提供することができる。
【図面の簡単な説明】
【００２４】
【図１】壁部貫通構造１を示す図。
【図２】実施形態の変形例を示す図で、（ａ）は壁部貫通構造１ａを示す図、（ｂ）は壁部貫通構造１ｂを示す図、（ｃ）は壁部貫通構造１ｃを示す図。
【図３】壁部貫通構造２０を示す図。
【図４】実施形態の変形例を示す図で、（ａ）は壁部貫通構造２０ａを示す図、（ｂ）は壁部貫通構造２０ｂを示す図、（ｃ）は壁部貫通構造２０ｃを示す図。
【図５】実施形態の変形例を示す図で、（ａ）は壁部貫通構造１ｄを示す図、（ｂ）は壁部貫通構造２０ｄを示す図。
【図６】実施形態の変形例を示す図で、（ａ）は壁部貫通構造１ｅを示す図、（ｂ）は壁部貫通構造２０ｅを示す図。
【図７】実施形態の変形例を示す図で、（ａ）は壁部貫通構造１ｆを示す図、（ｂ）は壁部貫通構造２０ｆを示す図。
【発明を実施するための形態】
【００２５】
以下、本発明の実施の形態にかかる壁部貫通構造１について説明する。図１は、壁部貫通構造１を示す断面図である。壁部貫通構造１は、主に、壁部３、配管６、壁部貫通部材７等から構成される。
【００２６】
壁部３は、例えば屋外と屋内との間を仕切るものである。壁部３には、貫通孔５が設けられる。貫通孔５は、たとえば円形であり、屋外と屋内とを貫通するものである。なお、以下の図において、壁部３をはさんで左側を外側（室外側）とし、右側を内側（室内側）とする。
【００２７】
貫通孔５には、壁部貫通部材７が設けられる。壁部貫通部材７によって、貫通孔５の水密が保たれるとともに、配管６が保持される。壁部貫通部材７は、本体９と止水部１１等から構成される。本体９は、配管６が挿通される部位であり、配管６に対応した筒状の部材である。本体９の外径は、貫通孔５に対して十分に小さく、貫通孔５の内周に挿通可能である。なお、配管６は、たとえば空調のダクト等である。また、本体９は、たとえば樹脂製であり、必要に応じて配管６との間にもシール部材が設けられる。
【００２８】
本体９の外周面側には止水部１１が周方向に渡って設けられる。止水部１１は、本体９の外周面に接着等により固定される。止水部１１は、第１の止水部材である弾性部材１３と、第２の止水部材であり、水膨張性部材である水膨張性不織布１５で構成される。弾性部材１３は例えばゴムであり、例えばシリコーンゴムが使用でき、ある程度の強度を有する。弾性部材１３は、本体９の外周面と貫通孔５の内周面（すなわち壁部３の一部）との間にまたがるように形成される。なお、水膨張性部材としては、水膨張性不織布以外にも水膨張性ゴムを使用することができる。以下の例では、水膨張性不織布を使用した例について説明する。
【００２９】
同様に、水膨張性不織布１５は弾性部材１３の内側に（室内側に）くるように本体９と貫通孔５の内周面とにまたがって設けられる。すなわち、水膨張性不織布１５は壁部３に接触する。なお、弾性部材１３および水膨張性不織布１５の外径は、貫通孔の内径よりもやや大きく設定され、図に示すように貫通孔５に挿入された状態では、止水部１１がわずかに弾性変形して、つぶれた状態で保持される。
【００３０】
ここで、貫通孔５は、壁部３に貫通孔５を施工する際に、その内周面側に凹凸形状が形成される場合がある。凹凸形状が小さければ、弾性部材１３の弾性変形によって、本体９と貫通孔５内周面との間の止水性を確実に確保することができるが、凹凸がある程度以上となると、弾性部材１３の変形能力を超える。したがって、わずかに弾性部材１３と貫通孔５内周面と間に隙間が生じる可能性がある。これに対し、水膨張性不織布１５は、容易に変形が可能であるため、貫通孔５の内周面の凹凸にも密着することができる。また、水が浸入すると水膨張性不織布１５が膨張し、より確実に止水性を確保することができる。
【００３１】
なお、止水部１１を水膨張性不織布１５のみで構成した場合には、水膨張性不織布１５は変形が容易であるため、壁部貫通部材７を保持することが困難である。すなわち、配管６および本体９の重量や、外力が加わることで、水膨張性不織布１５の一部がつぶれ、本体９（配管６）の中心が貫通孔５の中心からずれる場合がある。たとえば、本体９と貫通孔５の内周面との隙間が上下で異なることで、本体９の下部では、水膨張性不織布１５が貫通孔５の内周面に強く押し付けられるが、上部では隙間が生じる可能もある。
【００３２】
これに対し、本実施形態によれば、弾性部材１３が設けられるため、弾性部材１３が本体９および配管６を支持することができ、このため、本体９および配管６が貫通孔５に対して確実に調心されて保持される。また、同時に、水膨張性不織布１５が確実に壁部３との接触面の凹凸に追従するため、確実に止水性を確保することができる。特に、水膨張性不織布１５は、弾性部材１３の内側に形成されるため、弾性部材１３を超えて浸入した水を確実に止水することができる。また、シーリング材等も不要である。
【００３３】
次に、壁部貫通構造１の変形例について説明する。図２は、壁部貫通構造１ａ、１ｂ、１ｃの一部（壁部貫通部材近傍）を示す断面図である。なお、以下の説明において、壁部貫通構造１と同様の機能を奏する構成については、図１と同一の符号を付し、重複した説明を省略する。
【００３４】
図２（ａ）に示すように、壁部貫通構造１ａは、壁部貫通構造１と略同様であるが、止水部の構成が異なる。止水部１１ａは、止水部１１と同様に、弾性部材１３および水膨張性不織布１５により構成されるが、弾性部材１３には、段形状が形成される。すなわち、弾性部材１３の室外側（図中左側）は、本体９の外周面から貫通孔５の内周面にわたって弾性部材１３が形成されるが、弾性部材１３の室内側（図中右側）は薄肉となり、弾性部材１３は本体９側にのみ接触する。
【００３５】
弾性部材１３の段差部分には水膨張性不織布１５が設けられる。すなわち、水膨張性不織布１５は、弾性部材１３と貫通孔５の内周面との間に設けられる。したがって、水膨張性不織布１５は壁部３側と接触し、本体９側とは接触しない。
【００３６】
壁部貫通構造１ａによっても、壁部貫通構造１と同様の効果を得ることができる。この場合でも、弾性部材１３は、確実に本体９等を支持することができ、また、水膨張性不織１５は、弾性部材１３と貫通孔５との隙間から浸入した水に対しても、確実に止水性を確保することができる。また、弾性部材１３と水膨張性不織布１５とが組み合わせることで、止水部１１ａが確実に保持される。
【００３７】
同様に、図２（ｂ）に示すように、壁部貫通構造１ｂを適用することもできる。壁部貫通構造１ｂは、壁部貫通構造１と略同様であるが、止水部の構成が異なる。止水部１１ｂは、止水部１１と同様に、弾性部材１３および水膨張性不織布１５により構成されるが、弾性部材１３および水膨張性不織布１５には、互いに段形状が形成されて組み合わさる。すなわち、弾性部材１３の室外側（図中左側）は、本体９の外周面から貫通孔５の内周面にわたって弾性部材１３が形成されるが、弾性部材１３の室内側（図中右側）は薄肉となり、本体９側にのみ接触する。
【００３８】
水膨張性不織布１５は、弾性部材１３とは逆向きの段差形状であり、室内側は本体９と貫通孔５の内周面の間にまたがるように水膨張性不織布１５が形成されるが、室外側は厚さが薄くなり、貫通孔５の内周面側のみに形成される。
【００３９】
壁部貫通構造１ｂによっても、壁部貫通構造１と同様の効果を得ることができる。この場合でも、弾性部材１３は、確実に本体９等を支持することができ、また、水膨張性不織１５は、弾性部材１３と貫通孔５との隙間から浸入した水に対しても、確実に止水性を確保することができる。また、弾性部材１３と水膨張性不織布１５とが組み合わせることで、止水部１１ｂが確実に保持される。
【００４０】
同様に、図２（ｃ）に示すように、壁部貫通構造１ｃを適用することもできる。壁部貫通構造１ｃは、壁部貫通構造１と略同様であるが、止水部の構成が異なる。止水部１１ｃは、止水部１１と同様に、弾性部材１３および水膨張性不織布１５により構成されるが、弾性部材１３が断面コの字状に形成される。すなわち、弾性部材１３の外周部の中央（配管敷設方向の略中央）には周方向に渡って凹部が形成される。凹部を除く弾性部材１３は、本体９外周から貫通孔５の内周面に渡ってまたがるように形成される。
【００４１】
弾性部材１３の凹部には水膨張性不織布１５が設けられる。すなわち、水膨張性不織布１５は、弾性部材１３と貫通孔５の内周面との間に設けられる。したがって、水膨張性不織布１５は本体９側とは接触しない。
【００４２】
壁部貫通構造１ｃによっても、壁部貫通構造１と同様の効果を得ることができる。この場合でも、弾性部材１３は、確実に本体９等を支持することができ、また、水膨張性不織１５は、弾性部材１３と貫通孔５との隙間から浸入した水に対しても、確実に止水性を確保することができる。また、弾性部材１３と水膨張性不織布１５とが組み合わせることで、止水部１１ｃが確実に保持される。
【００４３】
次に、他の実施の形態について説明する。図３は、壁部貫通構造２０を示す図である。なお、壁部貫通構造２０についても、壁部貫通構造１と同様の機能を奏する構成ついては、図１と同一の符号を付し、重複した説明を省略する。
【００４４】
壁部貫通構造２０は、壁部３、配管６、壁部貫通部材２７等から構成される。
壁部貫通部材２７は、本体２１ａ、２１ｂと止水部２３等から構成される。本体２１ａ、２１ｂは２分割されており、本体２１ｂの内周側と本体２１ａの外周側とが貫通孔５内部で螺合して一体となる。室外側に配置される本体２１ａには、本体の外周部に径方向に突出するフランジ部２５ａが形成される。同様に、室内側に配置される本体２１ｂには、本体の外周部に径方向に突出するフランジ部２５ｂが形成される。
【００４５】
本体２１ａの内径は、配管６の外径と略一致する。また、本体２１ｂの外径は、貫通孔５に挿通可能な径である。フランジ部２５ａ、２５ｂの外径は、それぞれ貫通孔５の内径よりも大きい。したがって、フランジ部２５ａ、２５ｂで壁部３を挟み込むように一体化することで、本体２１ａ、２１ｂが貫通孔から脱落することがない。なお、例えば室内側のフランジ部をなくすことで、本体２１ａ、２１ｂを一体で構成することもできる。
【００４６】
フランジ部２５ａの内面側（壁部３との対向面）と壁部３の外面との間には止水部２３が設けられる。止水部２３は、止水部１と同様に、弾性部材１３および水膨張性不織布１５から構成され、フランジ部２５ａ内面側に接着等で固定される。弾性部材１３は、フランジ部２５ａの外周側に設けられて、水膨張性不織布１５は弾性部材１３の内周側に設けられる。なお、水の浸入経路を考慮すると、フランジ部２５ａの外周側が室外側であり、内周側が室内側と言える。
【００４７】
本体２１ａ、２１ｂを締めこんでいくと、止水部２３が壁部３に押し付けられて止水性が保たれる。この際、弾性部材１３は、完全につぶれずに、壁面に対する本体２１ａの位置を一定に保つ。一方、水膨張性不織布１５は、壁部３の壁面の凹凸に追従して変形し、弾性部材１３と壁面との間から浸入する水に対して、確実に止水性を確保することができる。
【００４８】
壁部貫通構造２０によっても、壁部貫通構造１と同様の効果を得ることができる。この場合でも、弾性部材１３は、本体の位置決めの機能をも果たし、また、水膨張性不織１５は、弾性部材１３と貫通孔５との隙間から浸入した水に対して、確実に止水性を確保することができる。また、壁部３を一対のフランジ部２５ａ、２５ｂで挟み込むことで、壁部貫通部材２７が貫通孔５から脱落することがない。
【００４９】
次に、壁部貫通構造２０の変形例について説明する。図４は、壁部貫通構造２０ａ、２０ｂ、２０ｃの一部（壁部貫通部材近傍）を示す断面図である。なお、以下の説明において、壁部貫通構造２０と同様の機能を奏する構成については、図３と同一の符号を付し、重複した説明を省略する。
【００５０】
図４（ａ）に示すように、壁部貫通構造２０ａは、壁部貫通構造２０と略同様であるが、止水部の構成が異なるものであり、壁部貫通構造１に対する、壁部貫通構造１ａの変形例と同様である。止水部２３ａは、止水部２３と同様に、弾性部材１３および水膨張性不織布１５により構成されるが、弾性部材１３には、段形状が形成される。すなわち、弾性部材１３の外周側は、本体２１ａ（フランジ部２５ａ）の内面から壁部３の壁面にわたって形成されるが、弾性部材１３の内周側は薄肉となり、本体２１ａ（フランジ部２５ａ）側にのみ接触する。
【００５１】
また、図４（ｂ）に示すように、壁部貫通構造２０ｂは、壁部貫通構造２０と略同様であるが、止水部の構成が異なるものであり、壁部貫通構造１に対する、壁部貫通構造１ｂの変形例と同様である。止水部２３ｂは、止水部２０と同様に、弾性部材１３および水膨張性不織布１５により構成されるが、弾性部材１３および水膨張性不織布１５には、互いに段形状が形成されて組み合わさる。すなわち、弾性部材１３の外周側は、本体２１ａ（フランジ部２５ａ）の内面から壁部３の壁面にわたって形成されるが、弾性部材１３の内周側は薄肉となり、壁部３側にのみ接触する。
【００５２】
水膨張性不織布１５は、弾性部材１３とは逆向きの段差形状であり、内周側は本体２１ａ（フランジ部２５ａ）と壁部３の壁面の間にまたがるように形成されるが、外周側は厚さが薄くなり、壁部３の壁面側のみに形成される。
【００５３】
また、図４（ｃ）に示すように、壁部貫通構造２０ｃは、壁部貫通構造２０と略同様であるが、止水部の構成が異なるものであり、壁部貫通構造１に対する、壁部貫通構造１ｃの変形例と同様である。止水部２３ｃは、止水部２０と同様に、弾性部材１３および水膨張性不織布１５により構成されるが、弾性部材１３が断面コの字状に形成される。すなわち、弾性部材１３の壁部３との接触面側の、径方向の略中央には全周に渡って凹部が形成される。凹部を除く弾性部材１３は、本体２１ａ（フランジ部２５ａ）内面から壁部３の壁面に渡ってまたがるように形成される。
【００５４】
弾性部材１３の凹部には水膨張性不織布１５が設けられる。すなわち、水膨張性不織布１５は、弾性部材１３と壁面との間に設けられる。したがって、水膨張性不織布１５は本体２１ａ側とは接触しない。
【００５５】
以上のように、壁部貫通構造２０ａ、２０ｂ、２０ｃによっても、壁部貫通構造２０と同様の効果を得ることができる。この場合でも、弾性部材１３は、確実に本体２１ａ、２１ｂの位置決めの機能をも果たし、また、水膨張性不織１５は、弾性部材１３と貫通孔５との隙間から浸入した水に対しても、確実に止水性を確保することができる。また、壁部貫通部材２７が貫通孔５から脱落することがない。また、弾性部材１３と水膨張性不織布１５とが組み合わせることで、止水部が確実に保持される。
【００５６】
以上、本発明によれば、簡易な構造で確実に止水性を確保することができる壁部貫通構造を得ることができる。また、止水部材が弾性部材１３および水膨張性部材である水膨張性不織布１５から構成されるため、弾性部材１３が、壁部貫通部材の本体の位置決めや支持の機能をも有し、水膨張性不織布１５は、壁部側の凹凸や径ばらつきにも追従し、確実に止水性を確保することができる。
【００５７】
また、シーリング材等用いる必要がなく、シール部のメンテナンスも屋外側からのみで行うことも可能である。
【００５８】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００５９】
たとえば、弾性部材１３と水膨張性不織布１５の形状は、前述した例に限られない。図５は、弾性部材１３および水膨張性不織布１５の形状のさらに変形例を示す図であり、図５（ａ）は壁部貫通構造１の変形例である壁部貫通構造１ｄを示す断面図、図５（ｂ）は壁部貫通構造２０の変形例である壁部貫通構造２０ｄを示す断面図である。
【００６０】
図５（ａ）に示すように、壁部貫通構造１ｄで用いられる壁部貫通部材７ｄは、止水部１１ｄを有する。止水部１１ｄは、弾性部材１３および水膨張性不織布１５からなるが、弾性部材１３の、本体９と貫通孔５（壁部３）との間の略中央に凹部が形成される。すなわち、凹部は弾性部材１３の壁部との接触方向とは垂直な方向に形成される。水膨張性不織布１５は、弾性部材１３の室内側に設けられ、凹部に嵌り込むように対応する凸部が形成される。
【００６１】
また、図５（ｂ）に示すように、壁部貫通構造２０ｄで用いられる壁部貫通部材２７ｄは、止水部２３ｄを有する。止水部２３ｄは、止水部１１ｄと同様に、弾性部材１３の、本体２１ａ（フランジ部２５ａ）と壁部３との間の略中央に凹部が形成される。すなわち、凹部は弾性部材１３の壁部との接触方向とは垂直な方向に形成される。水膨張性不織布１５は、弾性部材１３の内周側（室内側）に設けられ、凹部に嵌り込むように対応する凸部が形成される。
【００６２】
図５に示す例でも、前述した壁部貫通構造と同様の効果を得ることができる。なお、壁部３側との接触方向と垂直な方向の凹部に水膨張性不織布１５が設けられるため、水膨張性不織布１５に水が吸収して膨張すると、凹部が押し広げられる。このため、凹部の両側が壁部３および本体との接触方向に強く押し付けられる。このため、より高い止水効果を期待することができる。
【００６３】
また、図６は、止水部の構成のさらなる変形例を示す図であり、図６（ａ）は壁部貫通構造１の変形例である壁部貫通構造１ｅを示す断面図、図６（ｂ）は壁部貫通構造２０の変形例である壁部貫通構造２０ｅを示す断面図である。
【００６４】
図６（ａ）に示すように、壁部貫通構造１ｅで用いられる壁部貫通部材７ｅは、止水部１１ｅを有する。止水部１１ｅは、弾性部材１３および水膨張性不織布１５に加え、さらに発泡性弾性体３５からなる。止水部１１ｅにおいては、最も室外側に弾性部材１３が配置し、最も室内側には水膨張性不織布１５が設けられ、その中間に発泡性弾性体３５が配置される。発泡性弾性体３５としては、例えばＥＰＤＭ（エチレンプロピレンゴム）混和物発泡体が使用できる。なお、図６（ａ）に示すように、本体３１には外周部に径方向に突出するフランジ部３３を設けてもよい。フランジ部３３が貫通孔５の内径よりも大きければ、より確実に本体３３が壁部３に固定される。
【００６５】
なお、弾性部材１３には、発泡性の弾性部材も含まれるが、本発明においては、弾性部材１３と発泡性弾性部材３５との区別として、その硬度が異なる。すなわち、弾性部材１３、発泡性弾性体３５、水膨張性不織布１５の順で柔らかい材料となる。したがって、弾性部材１３が発泡性弾性部材である場合には、弾性部材１３、発泡性弾性体３５ともに、発泡性の弾性部材となるが、この場合でも、発泡性弾性体３５よりも硬い部材を弾性部材１３と定義する。
【００６６】
同様に、図６（ｂ）に示すように、壁部貫通構造２０ｅで用いられる壁部貫通部材２７ｅは、止水部２３ｅを有する。止水部２３ｅは、止水部１１ｅと同様に、弾性部材１３および水膨張性不織布１５に加え、さらに発泡性弾性体３５からなる。止水部２３ｅにおいては、最も外周側（室外側）に弾性部材１３が配置し、最も内周側（室内側）には水膨張性不織布１５が設けられ、その中間に発泡性弾性体３５が配置される。
【００６７】
図６に示す例でも、前述した壁部貫通構造と同様の効果を得ることができる。また、硬度の異なる３種類の部材を用い、硬い順に室外側から配置し、最も室内側に水膨張性不織布１５を配置することで、より確実に水の浸入を防ぐことができる。
【００６８】
また、図７は、止水部の構成のさらなる変形例を示す図であり、図７（ａ）は壁部貫通構造１の変形例である壁部貫通構造１ｆを示す断面図、図７（ｂ）は壁部貫通構造２０の変形例である壁部貫通構造２０ｆを示す断面図である。
【００６９】
図７（ａ）に示すように、壁部貫通構造１ｆで用いられる壁部貫通部材７ｆは、止水部１１ｆを有する。止水部１１ｆは、止水部１１ｅと同様に、弾性部材１３および水膨張性不織布１５に加え、さらに発泡性弾性体３５からなる。止水部１１ｆにおいては、弾性部材１３の外周部（壁部３との接触部）に２列の凹部が形成される。それぞれの凹部には、室外側から順に、発泡性弾性体３５および水膨張性不織布１５が設けられる。
【００７０】
同様に、図７（ｂ）に示すように、壁部貫通構造２０ｆで用いられる壁部貫通部材２７ｆは、止水部２３ｆを有する。止水部２３ｆは、止水部１１ｆと同様に、弾性部材１３および水膨張性不織布１５に加え、さらに発泡性弾性体３５からなる。止水部２３ｆにおいては、弾性部材１３の内面（壁部３との接触部）に周方向に２列の凹部が形成される。それぞれの凹部には、外周側（室外側）から順に、発泡性弾性体３５および水膨張性不織布１５が設けられる。
【００７１】
図７に示す例でも、前述した壁部貫通構造と同様の効果を得ることができる。また、硬度の異なる３種類に部材を用い、最も硬い弾性部材１３で他の部材を保持することで、より確実に水の浸入を防ぐことができるともに、３つの部材がばらばらになることもない。
【００７２】
なお、上述した各実施例や変形例を各種組み合わせることができることは言うまでもない。すなわち、本体の形状や構造、止水部の構成や構造を各種組みあせることで、簡易な構造で確実に止水性を得ることができる。
【符号の説明】
【００７３】
１、１ａ、１ｂ、１ｃ、１ｄ、１ｅ、１ｆ………壁部貫通構造
３………壁部
５………貫通孔
６………配管
７、７ａ、７ｂ、７ｃ、７ｄ、７ｅ、７ｆ………壁部貫通部材
９………本体
１１、１１ａ、１１ｂ、１１ｃ、１１ｄ、１１ｅ、１１ｆ………止水部
１３………弾性部材
１５………水膨張性不織布
２０、２０ａ、２０ｂ、２０ｃ、２０ｄ、２０ｅ、２０ｆ………壁部貫通構造
２１ａ、２１ｂ………本体
２３、２３ａ、２３ｂ、２３ｃ、２３ｄ、２３ｅ、２３ｆ………止水部
２５ａ、２５ｂ………フランジ部
２７、２７ａ、２７ｂ、２７ｃ、２７ｄ、２７ｅ、２７ｆ………壁部貫通部材
３１………本体
３３………フランジ部
３５………発泡性弾性体
【図１】
2012037036.tif 000003
【図２】
2012037036.tif 000004
【図３】
2012037036.tif 000005
【図４】
2012037036.tif 000006
【図５】
2012037036.tif 000007
【図６】
2012037036.tif 000008
【図７】
2012037036.tif 000009